(57)【要約】【課題】くびれ部をもつ容器であっても円滑に抜き取ることが可能で、しかもホルダ本体や支持部材の損傷を抑えることもできる簡易な構造よりなるカップホルダを提供する。【解決手段】第２支持部６の第２先端支持部６ａに大径容器のくびれ部が引っ掛かった場合であっても、第１支持部材５の基端規制部５ｂからの押圧力を受けて規制部材９が弾性変形することで、第１支持部材５の基準位置からのさらなる上方への回動を許容する。これにより、第２支持部材６の基準位置からのさらなる上方への回動も許容される。規制部材９の規制保持部としての傾斜規制部９２ｂが、第１支持部材５の基端規制部５ｂから押圧力を受けなくなると、規制部材９が弾性復帰することで上方に回動した第１支持部材５が基準位置に自然に復帰する。【選択図】図３
2010195186.tif 000002
【特許請求の範囲】
【請求項１】
上方に開口し、容器が挿入される収納部を有するホルダ本体と、
先端支持部及び基端規制部を有し、該基端規制部側を回動軸として該先端支持部が上下方向に回動することで該先端支持部が前記収納部内で進退するように、前記ホルダ本体に対して回動可能とされた支持部材と、
前記支持部材を上方に回動付勢する付勢部材と、
前記支持部材の上方への回動を規制して前記先端支持部が前記収納部内に所定量進出した基準位置に該支持部材を保持する弾性体よりなる規制部材と、を備え、
前記規制部材は規制保持部を有し、
前記規制保持部は、前記支持部材の前記基端規制部と当接することで該支持部材の上方への回動を規制して該支持部材を前記基準位置に保持すると共に、該基端規制部からの押圧力を受けて該規制部材が弾性変形することで該支持部材の該基準位置からのさらなる上方への回動を許容することを特徴とするカップホルダ。
【請求項２】
前記基準位置よりも上方に回動した前記支持部材が前記規制部材の弾性復元により該基準位置に復帰する請求項１に記載のカップホルダ。
【請求項３】
前記規制部材が、平板部と、該平板部に対して角度をもつ傾斜規制部と、を備える板バネよりなり、
前記傾斜規制部が、前記規制保持部である請求項１又は２に記載のカップホルダ。
【請求項４】
前記基端規制部の形状が、前記回動軸を中心とするカム状であり、
前記回動軸から最も離れた位置にある前記カムの頂部が、前記傾斜規制部に沿って斜め上方を向いている請求項３に記載のカップホルダ。
【請求項５】
前記支持部材の断面形状が、回動軸を折れ点として、該支持部材の一端側の端部が前記先端支持部であり、かつ他端側の端部が前記カムの頂部であるくの字形状からなる請求項４に記載のカップホルダ。
【請求項６】
前記規制部材が、該規制部材の長手方向の両端を支持点とする板バネよりなる請求項３〜５のうちのいずれか一つに記載のカップホルダ。
【請求項７】
前記規制部材が、該規制部材の長手方向の一端を固定端、かつ他端を自由端とする板バネよりなる請求項３〜５のうちのいずれか一つに記載のカップホルダ。
【発明の詳細な説明】
【技術分野】
【０００１】
本発明は、自動車室内などに設けられるカップホルダに関し、詳しくは収納部に挿入された容器の側面を支持可能な支持部材を備えたカップホルダに関するものである。
【背景技術】
【０００２】
自動車室内には、飲料容器を安定して保持するためのカップホルダが装備されている。カップホルダとして、収納部に挿入された容器の側面を支持可能な支持部材を備えたものがある。
【０００３】
支持部材を備えた従来のカップホルダの断面図を図７に示す。このカップホルダ５００は、容器が挿入される収納部５１０を有するホルダ本体５０１と、ホルダ本体５０１に上下方向に回動可能に取り付けられた支持部材５０２と、支持部材５０２を上方に回動付勢する付勢部材５０３とを備えている。
【０００４】
支持部材５０２は、収納部５１０に挿入された容器の側面を支持可能な先端支持部５０２ａと、ホルダ本体５０１の規制保持部５０１ａに当接することで支持部材５０２の上方への回動を規制する基端規制部５０２ｂとを有する。すなわち、付勢部材５０３により常に回動付勢されている支持部材５０２の上方への回動は、支持部材５０２の基端規制部５０２ｂがホルダ本体５０１の規制保持部５０１ａに当接することにより規制され、これにより支持部材５０２の先端支持部５０２ａがカップホルダ５００の収納部５１０内に所定量進出した基準位置に保持される。
【０００５】
このカップホルダ５００では、図７の左側に示すとおり、収納部５１０に小径容器ＣＳが挿入されたときは、基準位置に保持された支持部材５０２の先端支持部５０２ａで小径容器ＣＳの上部を支持し、収納部５１０に小径容器ＣＳの径より大きな径の大径容器ＣＬが挿入されたときは、大径容器ＣＬの収納部５１０への挿入動作に伴って大径容器ＣＬの表面で押されて下方へ回動した支持部材５０２の先端支持部５０２ａで大径容器ＣＬの下部を支持する。
【０００６】
ところが、図７の右側に示すとおり、容器の下部付近に周方向に延びるくびれ部Ｔをもつ大径容器ＣＬＴが収納部５１０に挿入された場合は、くびれ部Ｔの径よりも大きな径の大径容器ＣＬＴの下方の表面で押されて下方へ回動した支持部材５０２が、大径容器ＣＬＴの収容が進むにつれて上方へ回動して、支持部材５０２の先端支持部５０２ａで大径容器ＣＬＴのくびれ部Ｔを支持する場合がある。
【０００７】
この大径容器ＣＬＴを収納部５１０から抜き取る際には、支持部材５０２の先端支持部５０２ａが、くびれ部Ｔよりも径が大きい大径容器ＣＬＴの下方の表面に引っ掛かって、容器の抜き取りが困難になることがある。このとき、容器を無理やりに引き抜こうとすれば、支持部材５０２が基準位置を越えて上方に回動して、ホルダ本体５０１の規制保持部５０１ａや支持部材５０２の基端規制部５０２ｂが損傷する虞がある。
【０００８】
そこで、図８に示すように、ホルダ本体６０１に、支持部材６０２の回動軸部６０２ｃを摺動可能に支持するガイド長穴６０５を設けると共に、支持部材６０２の回動軸部６０２ｃを上方に付勢する軸部付勢バネ６０４を設けたカップホルダ６００が知られている（特許文献１参照）。
【０００９】
ガイド長穴６０５は、ホルダ本体６０１の規制保持部６０１ａを中心とする弧状に上下方向に延びている。なお、支持部材６０２は付勢バネ６０３により上方に回動付勢されており、軸部付勢バネ６０４の付勢力は付勢バネ６０３の付勢力よりも大きく設定されている。
【００１０】
このカップホルダ６００では、収納部６１０に容器が挿入されていないときは、軸部付勢バネ６０４の付勢力により、支持部材６０２の回動軸部６０２ｃがガイド長穴６０５の上端部に位置すると共に、付勢バネ６０３の付勢力により支持部材６０２の先端支持部６０２ａが上方に回動して支持部材６０２の基端規制部６０２ｂがホルダ本体６０１の規制保持部６０１ａに当接する。これにより、支持部材６０２は、先端支持部６０２ａが収納部６１０内に所定量進出した基準位置に保持される。
【００１１】
このカップホルダ６００において、容器の下部付近に周方向に延びるくびれ部Ｔをもつ大径容器ＣＬＴを収納部６１０から抜き取る際に、下方へ回動して押し下げ位置にあった支持部材６０２の先端支持部６０２ａがくびれ部Ｔに引っ掛かった場合、支持部材６０２にかかる無理な力が軸部付勢バネ６０４の付勢力よりも大きくなると、支持部材６０２の回動軸部６０２ｃがガイド長穴６０５に沿って下方に移動する。これにより、支持部材６０２は、ホルダ本体６０１の規制保持部６０１ａの端部６０１ｂを中心に回動して、支持部材６０２の先端支持部６０２ａが基準位置からさらに上方へ回動する。したがって、くびれ部Ｔをもつ大径容器ＣＬＴの収納部６１０からの抜き取りが可能になる。
【先行技術文献】
【特許文献】
【００１２】
【特許文献１】特開２００６−５１９０８号公報
【発明の概要】
【発明が解決しようとする課題】
【００１３】
しかしながら、このカップホルダ６００であっても、支持部材６０２がホルダ本体６０１の規制保持部６０１ａの端部６０１ｂを中心として回動するため、ホルダ本体６０１の端部６０１ｂ及びこの端部６０１ｂが当たる支持部材６０２の当接部分の磨り減りによる損傷を避けられない。
【００１４】
また、このカップホルダ６００は、支持部材６０２の先端支持部６０２ａを基準位置からさらに上方へ回動させるために、ホルダ本体６０１にガイド長穴６０５を設けると共に、支持部材６０２の回動軸部６０２ｃを上方に付勢する軸部付勢バネ６０４を設けるという複雑な構造からなっていることから、これらの部品の製作や、組付に手間がかかり、良好な生産効率を確保することができない。
【００１５】
本発明は上記実情に鑑みてなされたものであり、くびれ部をもつ容器であっても円滑に抜き取ることが可能で、しかもホルダ本体や支持部材の損傷を抑えることもできる簡易な構造よりなるカップホルダを提供することを解決すべき課題とする。
【課題を解決するための手段】
【００１６】
以下、上記課題を解決するのに適した各手段につき、必要に応じて作用効果等を付記しつつ説明する。
【００１７】
（１）本発明のカップホルダは、上方に開口し、容器が挿入される収納部を有するホルダ本体と、先端支持部及び基端規制部を有し、該基端規制部側を回動軸として該先端支持部が上下方向に回動することで該先端支持部が前記収納部内で進退するように、前記ホルダ本体に対して回動可能とされた支持部材と、前記支持部材を上方に回動付勢する付勢部材と、前記支持部材の上方への回動を規制して前記先端支持部が前記収納部内に所定量進出した基準位置に該支持部材を保持する弾性体よりなる規制部材と、を備え、前記規制部材は規制保持部を有し、前記規制保持部は、前記支持部材の前記基端規制部と当接することで該支持部材の上方への回動を規制して該支持部材を前記基準位置に保持すると共に、該基端規制部からの押圧力を受けて該規制部材が弾性変形することで該支持部材の該基準位置からのさらなる上方への回動を許容することを特徴とする。
【００１８】
本発明のカップホルダでは、基準位置にある支持部材の先端支持部で、カップホルダの収納部に挿入された例えば小径容器の上部を支持することができる。また、小径容器の径より大きな径の大径容器が収納部に挿入されたときは、支持部材が大径容器の表面と干渉するため、大径容器の収納部への挿入動作に伴って支持部材が大径容器の表面で押され付勢部材の付勢力に抗して下方へ回動する。押し下げられた支持部材の先端支持部は、収納部に挿入された大径容器の下部側面に、付勢部材の付勢力により押し当てられる。このため、押し下げられた支持部材の先端支持部で大径容器の下部を支持することができる。
【００１９】
そして、容器の下部付近に周方向に延びるくびれ部をもつ大径容器がカップホルダの収納部に挿入されたときは、このくびれ部をもつ大径容器を収納部から抜き取る際に、下方へ回動して押し下げ位置にあった支持部材の先端支持部がくびれ部に引っ掛かることがある。支持部材の先端支持部がくびれ部に引っ掛かると、大径容器の引き抜き動作に伴って支持部材が上方に回動して基準位置よりもさらに上方へ回動しようとする。
【００２０】
このとき、本発明のカップホルダでは、支持部材の基端規制部に当接して支持部材を基準位置に保持するための規制部材が弾性体よりなるため、基端規制部からの押圧力を受けて規制部材が弾性変形することで、支持部材の基準位置からのさらなる上方への回動を許容する。
【００２１】
このため、支持部材は、大径容器のくびれ部に先端支持部を引っ掛けたまま基準位置からさらに上方に回動する。したがって、くびれ部をもつ大径容器の収納部からの抜き取りを円滑かつ容易に行うことができる。また、このとき無理やりに支持部材を上方に回動させるわけではないので、当接部分の磨り減り等による支持部材や規制部材の損傷を抑えることができる。
【００２２】
さらに、本発明のカップホルダは、規制部材を弾性体とすることにより、支持部材の基準位置からのさらなる上方への回動を許容するという単純な構成であることから、前述の特許文献１で示したガイド長穴６０５や、軸部付勢バネ６０４のような複雑な構造を必要としない。このため、部品の製作や、組付の手間が省力化され、良好な生産効率を確保することが可能となる。
【００２３】
（２）本発明のカップホルダにおいて、好ましくは、前記規制部材が弾性復元することで前記基準位置よりも上方に回動した前記支持部材が該基準位置に復帰する。
【００２４】
この構成によると、規制部材の規制保持部が支持部材の基端規制部から押圧力を受けなくなると、規制部材が弾性復帰することで上方に回動した支持部材が基準位置に自然に復帰する。このため、くびれ部をもつ大径容器を収納部から抜き取った後に、基準位置よりも上方に回動した支持部材を手指等を使って基準位置まで戻す必要がない。
【００２５】
（３）本発明のカップホルダにおいて、好ましくは、前記規制部材が、平板部と、該平板部に対して角度をもつ傾斜規制部と、を備える板バネよりなり、前記傾斜規制部が、前記規制保持部である。
【００２６】
この構成によると、例えばプレス加工により、平板部に対する傾斜規制部の角度や、傾斜規制部の長さを適切に設定した所定形状の規制部材を高精度にかつ容易に形成することができる。また、板バネは繰り返し変形に対して強く、規制部材の耐久性も向上する。
【００２７】
なお、平板部に対して１回の折り曲げにより傾斜規制部を形成することが可能であることは言うまでもないが、平板部と傾斜規制部との間に複数の屈曲点を設けることによって、平板部と傾斜規制部との離隔を調整することができる。
【００２８】
（４）本発明のカップホルダにおいて、好ましくは、前記基端規制部の形状が、前記回動軸を中心とするカム状であり、前記回動軸から最も離れた位置にある前記カムの頂部が、前記傾斜規制部に沿って斜め上方を向いている。
【００２９】
この構成によると、回動軸から最も離れた位置にあるカムの頂部が、傾斜規制部に沿って斜め上方を向いている。したがって、支持部材が基準位置よりも上方へ回動するのに伴って、基端規制部のカムの頂部が規制部材の傾斜規制部に近づき、基端規制部が規制部材を押す押圧力が徐々に大きくなり、規制部材を回動軸から離れる方向へ弾性変形させることができる。
【００３０】
また、支持部材が基準位置よりも上方へ回動した状態において、規制部材の規制保持部が支持部材の基端規制部から押圧力を受けなくなると、規制部材が弾性復帰することで、規制部材の弾性力が基端規制部のカムの頂部よりも下方に加わり、この弾性力がカムを回転する回転力として作用するため、上方に回動した支持部材を基準位置に復帰させることができる。
【００３１】
（５）本発明のカップホルダにおいて、好ましくは、前記支持部材の断面形状が、回動軸を折れ点として、該支持部材の一端側の端部が前記先端支持部であり、かつ他端側の端部が前記カムの頂部であるくの字形状からなる。
【００３２】
支持部材が基準位置よりも上方へ回動するのに伴って、基端規制部のカムの頂部が規制部材の傾斜規制部に近づき、やがてカムの頂部が傾斜基準部と当接する。この状態から、さらに支持部材が上方に回動すると、カムの頂部が傾斜規制部から外れ、支持部材が基準位置に自然復帰できなくなる。
【００３３】
本発明の構成によれば、支持部材の断面形状が、回動軸を折れ点としたくの字形状からなるため、支持部材が基準位置よりも上方へ大きく回動した場合であっても、基端規制部のカムの頂部が傾斜規制部から外れにくい。したがって、支持部材が基準位置よりも上方へ大きく回動した場合であっても、支持部材が基準位置に自然復帰できるため、くびれ部をもつ大径容器の収納部からの抜き取りをより円滑かつ容易に行うことができる。
【００３４】
（６）本発明のカップホルダは、好ましくは、前記規制部材が、該規制部材の長手方向の両端を支持点とする板バネよりなる。
【００３５】
板バネは、両端を支持点とする方が、一端を固定点、かつ他端を自由端とするよりも、変形に対してより大きな弾性力を発現する特性がある。したがって、規制部材の長手方向の両端を支持点とすることによって、規制部材の長手方向の一端を固定端、かつ他端を自由端とする場合よりも、薄い板厚または低い弾性係数の材料によって板バネからなる規制部材を形成することが可能となる。
【００３６】
（７）本発明のカップホルダは、好ましくは、前記規制部材が、該規制部材の長手方向の一端を固定端、かつ他端を自由端とする板バネよりなる。
【００３７】
この構成によると、規制部材は、規制部材の一端のみで固定され、他端は固定または支持されていない。したがって、規制部材の他端側に、規制部材を固定または支持するための構造が不要であり、構成部品の簡素化が図れる。
【００３８】
また、規制部材の他端側に、規制部材を固定または支持するための構造が不要であるため、例えば、規制部材の下端を固定端とする場合には、支持部材がホルダ本体の最上部に露出する構造からなるカップホルダに適用することが可能である。このようなカップホルダにおいては、支持部材をより高い位置に配置することが可能であるため、収納部に挿入される容器のより上方を支持部材で支持することが可能であり、支持される容器の安定性が高くなる。
【００３９】
また、規制部材の上端を固定端とする場合には、ホルダ本体の収納部が支持部材より下方に内壁面をもたない構造からなるカップホルダに適用することが可能である。このようなカップホルダにおいては、収納部の深さを小さく抑えることが可能であるため、例えば、常時はカップホルダを車室内から見えないようにセンターコンソール等に収納し、必要に応じてカップホルダを車室内に露出させるような収納式のカップホルダとして具現化することもできる。
【発明の効果】
【００４０】
本発明のカップホルダによれば、くびれ部をもつ容器であっても円滑に抜き取ることができ、また、ホルダ本体や支持部材の損傷も抑えて耐久性を向上させることができる。また、部品数が少なく簡易な構造よりなるため、良好な生産効率を確保することができる。
【図面の簡単な説明】
【００４１】
【図１】本発明の第１実施形態におけるカップホルダを説明する斜視図である。
【図２】本発明の第１実施形態におけるカップホルダの組付品を説明する分解斜視図である。
【図３】本発明の第１実施形態におけるカップホルダの組付品の動作を説明する断面図であって、図１におけるＡ−Ａ線で切断した断面図を示し、（ａ）は支持部材が基準位置から下方に回動する状況、（ｂ）は支持部材が基準位置よりも上方に回動した状況を示している。
【図４】本発明の第２実施形態におけるカップホルダの組付品の動作を説明する断面図であって、（ａ）は支持部材が基準位置から下方に回動する状況、（ｂ）は支持部材が基準位置よりも上方に回動した状況を示している。
【図５】本発明の第３実施形態におけるカップホルダの組付品の動作を説明する断面図であって、（ａ）は支持部材が基準位置から下方に回動する状況、（ｂ）は支持部材が基準位置よりも上方に回動した状況を示している。
【図６】本発明の第４実施形態におけるカップホルダの組付品の動作を説明する断面図であって、（ａ）は支持部材が基準位置から下方に回動する状況、（ｂ）は支持部材が基準位置よりも上方に回動した状況を示している。
【図７】従来のカップホルダを説明する断面図であって、カップホルダの収納部に小径容器、大径容器、及びくびれ部をもつ大径容器が挿入されている状況を示している。
【図８】従来のカップホルダを説明する断面図であって、容器を支持する支持部材が基準位置よりも上方に回動する機能を有するカップホルダを示している。
【発明を実施するための形態】
【００４２】
以下、本発明のカップホルダの実施形態について図面を参照しつつ詳しく説明する。
【００４３】
＜第１実施形態＞
（１）カップホルダ１の構成
図１に本実施形態におけるカップホルダを説明する斜視図を示す。図１の斜視図に示すとおり、本実施形態のカップホルダ１は、ホルダ本体２と、二つの組付品３とから構成されている。
【００４４】
ホルダ本体２は、箱状を呈し、容器が挿入される二つの収納部２０、２０を有している。各収納部２０、２０はそれぞれ同じ構成を有するため、一方の収納部２０の構成を以下に説明し、他方の収納部２０についての説明を省略する。
【００４５】
収納部２０は、略円形状の底面２１と、略円柱形状の内壁面２２とを有している。収納部２０の底面２１及び内壁面２２の径は、収納部２０に大径容器を収納しうる大きさに設定されている。収納部２０の内壁面２２には、略直方体形状の収容凹部２３が設けられている。
【００４６】
ホルダ本体２の各収納部２０、２０の収容凹部２３、２３には、それぞれ組付品３が収容されている。各組付品３、３はそれぞれ同じ構成を有するため、一方の組付品３の構成を以下に説明し、他方の組付品３についての説明を省略する。
【００４７】
（２）組付品３の構成
図２に組付品を説明する分解斜視図を示す。組付品３は、ケース部材４と、第１支持部材５と、第２支持部材６と、第１付勢部材７と、第２付勢部材８と、規制部材９と、保持部材１０とから構成されている。
【００４８】
ケース部材４、第１支持部材５、第２支持部材６及び保持部材１０は、それぞれ合成樹脂の射出成形品よりなり、第１付勢部材７、第２付勢部材８及び規制部材９は、それぞれ金属の加工品よりなる。
【００４９】
ケース部材４は、断面略コの字形状を呈し、第１側壁部４ａと、第２側壁部４ｂと、第３側壁部４ｃとを有する。第２側壁部４ｂと第３側壁部４ｃとは、互いに対向するように第１側壁部４ａの両端に設けられている。第１側壁部４ａには、後述する規制部材９の傾斜規制部９２ｂが第１側壁部４ａの正面側に突出するように、規制部材９をケース部材４に取り付けるための第１取付孔４１ａと、後述する規制部材９の平板部９ａをケース部材４に嵌め込んで取り付けるための取付凹部４２ａとが設けられている。
【００５０】
第２側壁部４ｂ及び第３側壁部４ｃには、保持部材１０を取り付けるための第２取付孔４１ｂ及び第３取付孔４１ｃが互いに対向するように設けられている。また、第２側壁部４ｂの外面及び第３側壁部４ｃの外面には、ホルダ本体２の収容凹部２３の内壁面に設けられた係止凹部（図示せず）に係合する係止爪４２ｂ及び４２ｃ（図示せず）が設けられている。
【００５１】
保持部材１０は、収納部２０の内壁面２２と略同一半径の円弧状からなる内壁面１０ａを有し、ケース部材４の第２取付孔４１ｂ及び第３取付孔４１ｃにそれぞれ係合する二つの係合突部１０ｂ、１０ｂを有する。また、保持部材１０の両側面の係合突部１０ｂ、１０ｂの下方には、後述する第２支持部材６の軸部６３ｂ、６３ｂの上方を保持する略半円弧状の内面からなる軸保持部１０ｃ、１０ｃが設けられている。保持部材１０の係合突部１０ｂ、１０ｂがそれぞれ第２取付孔４１ｂ及び第３取付孔４１ｃに係合することにより、保持部材１０がケース部材４に保持されている。
【００５２】
第２支持部材６は、収納部２０に挿入された小径容器の上部側面を支持することができる小径サポートである。第２支持部材６は、第２先端支持部６ａと、第２先端支持部６ａの両端から延びる一対の脚部６ｂ、６ｂとからなる略コの字形状に形成されている。第２先端支持部６ａの外面には円弧状の小径保持面６１ａが設けられ、第２先端支持部６ａの内面（背面）には内側に突出するリブ６２ａが設けられている。
【００５３】
一方の脚部６ｂの内面には他方の脚部６ｂに向かって突出する軸部６１ｂが設けられ、他方の脚部６ｂの内面には一方の脚部６ｂに向かって突出する第２基端規制部６２ｂが設けられている。第２基端規制部６２ｂの上面には、規制平坦面が設けられている。両方の脚部６ｂの外面には、ケース部材４の第２側壁部４ｂの内面及び第３側壁部４ｃの内面に形成された略半円弧状の内面からなる軸受部（図示せず）に回動可能に保持される軸部６３ｂ、６３ｂが設けられている。
【００５４】
第１支持部材５は、収納部２０に挿入された中径容器の上部側面を支持することができる中径サポートである。第１支持部材５は、第２支持部材６の一対の脚部６ｂ、６ｂ内に収納可能な大きさに形成されている。第１支持部材５の一端側の第１先端支持部５ａの外面には円弧状の中径保持面５１ａが設けられ、第１支持部材５の他端側の裏面には、第２支持部材６の第２基端規制部６２ｂが出入可能な凹部５２ｂが設けられている。また、第１支持部材５の他端側の凹部５２ｂと反対側の側面には、第２支持部材６の軸部６１ｂと係合可能な枢支孔５１ｂが設けられている。さらに、第１支持部材５の中径保持面５１ａには、第２支持部材６のリブ６２ａと係合可能な溝部５２ａが設けられている。
【００５５】
なお、第１支持部材５の他端部が基端規制部５ｂとなる。基端規制部５ｂの形状は、第２支持部材６の軸部６３ｂを中心とするカム状であり、軸部６３ｂから最も離れた位置にあるカムの頂部５ｄは、後述する規制部材９の規制保持部としての傾斜規制部９２ｂに沿って斜め上方を向いている。また、基端規制部５ｂのカムの頂部５ｄから下方には、傾斜規制部９２ｂに沿って斜め下方を向いた規制平坦面５ｃが設けられている。傾斜規制部９２ｂに基端規制部５ｂの規制平坦面５ｃが当接することで、第１支持部材５の上方への回動が規制されて第１支持部材５が略水平の基準位置に保持される。
【００５６】
また、第１支持部材５の凹部５２ｂが第２規制保持部となる。すなわち、第１支持部材５の第２規制保持部としての凹部５２ｂの内面に第２支持部材６の第２基端規制部６２ｂの上面の規制平坦面が当接することで、第２支持部材６の上方への回動が規制されて第２先端支持部６ａが収納部２０内に所定量進出した基準位置に第２支持部材６が保持される。
【００５７】
第１付勢部材７及び第２付勢部材８は共に捻りコイルバネよりなる。第１付勢部材７の一端が保持部材１０に固定され、第１付勢部材７の他端が第１支持部材５に固定されている。第１付勢部材７は、第１支持部材５を収納部２０内で上方に回動付勢する。第２付勢部材８の一端が保持部材１０に固定され、第２付勢部材８の他端が第２支持部材６に固定されている。第２付勢部材８は、第２支持部材６を収納部２０内で上方に回動付勢する。
【００５８】
規制部材９は、所定形状にプレス加工された板バネよりなる。規制部材９は、平板部９ａと、平板部９ａの上端側に設けられ断面略三角形状に平板部９ａの一面側に突出する屈曲突部９ｂと、屈曲突部９ｂの上端から平板部９ａと平行に延長された平板部９ｃと、平板部９ａの下端に設けられ平板部９ａの一面側に折り曲げられた折曲係止部９ｄとから構成されている。屈曲突部９ｂは、屈曲頂点９１ｂから斜め上方に延びる傾斜規制部９２ｂを有している。本実施形態のカップホルダでは、この屈曲突部９ｂの傾斜規制部９２ｂにより規制部材９の規制保持部が構成される。
【００５９】
（３）組付品３の組み立て
組付品３の組み立て完了後の状況は図３に示すとおりである。図３は図１におけるＡ−Ａ線で切断した断面図を示している。カップホルダ１を組み立てるには、先ず組付品３を組み立てる。
【００６０】
すなわち、ケース部材４の第１取付孔４１ａに規制部材９の屈曲突部９ｂを臨ませながら、ケース部材４の背面側から、ケース部材４の取付凹部４２ａに規制部材９の平板部９ａ嵌め込んで、ケース部材４に規制部材９を取り付ける。この取付状態で、規制部材９の屈曲突部９ｂがケース部材４の第１側壁部４ａの背面側から第１取付孔４１ａを介して第１側壁部４ａの正面側に突出している。また、屈曲突部９ｂの上端から延びる平板部９ｃが第１取付孔４１ａの上方の第１側壁部４ａの正面に摺動可能に保持されている。また、規制部材９の折曲係止部９ｄがケース部材４の取付凹部４２ａの底壁の下面に係止している。
【００６１】
一方、保持部材１０に対して、第１支持部材５、第２支持部材６、第１付勢部材７、第２付勢部材８を取り付ける。すなわち、第２支持部材６の軸部６１ｂを第１支持部材５の枢支孔５１ｂに挿通して係合させると共に、第２支持部材６の第２基端規制部６２ｂを第１支持部材５の凹部５２ｂに係合させる。また、第１支持部材５の溝部５２ａに第２支持部材６のリブ６２ａを挿通して係合させる。こうして、第１支持部材５と第２支持部材６とを組み立てる。
【００６２】
この状態では、第１支持部材５は第２支持部材６に対して上方のみへの回動自在に保持されている。そして、第１付勢部材７及び第２付勢部材８を介在させつつ、保持部材１０の両側面の下方に形成された略半円弧状の内面からなる軸保持部１０ｃ、１０ｃに、第２支持部材６の軸部６３ｂ、６３ｂの上方を当接させる。
【００６３】
そして、ケース部材４の第２取付孔４１ｂ及び第３取付孔４１ｃに保持部材１０の係合突部１０ｂ、１０ｂをそれぞれ係合させて、ケース部材４に保持部材１０を取り付ける。ケース部材４に保持部材１０を取り付けることによって、第２支持部材６の軸部６３ｂ、６３ｂの下方が、ケース部材４の第２側壁部４ｂの内面及び第３側壁部４ｃの内面に形成された略半円弧状の内面からなる軸受部（図示せず）に当接する。これにより、第２支持部材６の軸部６３ｂ、６３ｂは、保持部材１０の軸保持部１０ｃ、１０ｃと、ケース部材４の内面に形成された軸受部との間に挟まれて回動可能に保持される。
【００６４】
以上により、第１支持部材５及び第２支持部材６の組立品を、保持部材１０とケース部材４とによって回動可能に保持する。
【００６５】
第１付勢部材７は、第１支持部材５を第１先端支持部５ａが上方へ回動する方向に付勢し、第２付勢部材８は、第２支持部材６を第２先端支持部６ａが上方へ回動する方向に付勢している。なお、第２支持部材６の第２基端規制部６２ｂの上面の規制平坦面が第１支持部材５の凹部５２ｂの内面に当接することで、第２支持部材６の基準位置より上方への回動が規制されている。
【００６６】
このとき、第２支持部材６は第２先端支持部６ａが下方へ独立して回動可能である。一方、第１支持部材５は、凹部５２ｂの内面と第２基端規制部６２ｂとの当接、及び溝部５２ａの内面とリブ６２ａとの当接によって、第２支持部材６を超えて下方へ回動することが規制されている。すなわち、第２支持部材６は独立して下方へ回動可能であると共に、第１支持部材５の下方への回動に伴っても下方へ回動する。
【００６７】
こうして、ケース部材４に対して、第１支持部材５、第２支持部材６、第１付勢部材７、第２付勢部材８、規制部材９及び保持部材１０を取り付けて組付品３とした後、この組付品３をホルダ本体２の収納部２０の収容凹部２３に収容すると共に、ケース部材４の係止爪４２ｂ及び４２ｃ（図示せず）を収容凹部２３の係止凹部（図示せず）に係合させる。
【００６８】
（４）組付品３の動作
次に組付品３の動作について説明する。図３（ａ）は支持部材が基準位置から下方に回動する状況、図３（ｂ）は支持部材が基準位置よりも上方に回動した状況を示している。
【００６９】
図３（ａ）に示すとおり、第１支持部材５及び第２支持部材６は、第１付勢部材７及び第２付勢部材８によって上方に付勢されている。規制部材９の規制保持部としての傾斜規制部９２ｂに第１支持部材５の基端規制部５ｂの規制平坦面５ｃが当接することで、第１支持部材５の上方への回動が規制されて第１支持部材５が略水平の基準位置に常時保持されている。
【００７０】
基準位置にある第２支持部材６の先端支持部６ａで、カップホルダ１の収納部２０に挿入された例えば小径容器（図示せず）の上部を支持することができる。また、小径容器の径より大きな径の大径容器（図示せず）が収納部に挿入されたときは、第１支持部材５の第１先端支持部５ａ、及び第２支持部材６の第２先端支持部６ａが、大径容器の表面と干渉するため、大径容器の収納部２０への挿入動作に伴って、第１支持部材５及び第２支持部材６が大径容器の表面で押され、第１付勢部材７及び第２付勢部材８の付勢力に抗して軸部６３ｂを中心として下方へ回動する。図３（ａ）の破線は、回動後の第１支持部材５及び第２支持部材６の位置を示している。
【００７１】
押し下げられた第１支持部材５の第１先端支持部５ａ、及び第２支持部材６の第２先端支持部６ａは、収納部２０に挿入された大径容器の下部側面に、第１付勢部材７及び第２付勢部材８の付勢力により押し当てられる。このため、押し下げられた第１支持部材５の第１先端支持部５ａ、及び第２支持部材６の第２先端支持部６ａで大径容器の下部を支持することができる。
【００７２】
そして、容器の下部付近に周方向に延びるくびれ部をもつ大径容器（図示せず）がカップホルダ１の収納部２０に挿入されたときは、このくびれ部をもつ大径容器を収納部２０から抜き取る際に、軸部６３ｂを中心として下方へ回動して押し下げ位置にあった第２支持部材６の第２先端支持部６ａがくびれ部に引っ掛かることがある。
【００７３】
第２支持部材６の第２先端支持部６ａがくびれ部に引っ掛かると、大径容器の引き抜き動作に伴って第１支持部材５及び第２支持部材６が上方に回動して基準位置よりもさらに上方へ回動しようとする。図３（ｂ）は第１支持部材５及び第２支持部材６が基準位置よりも上方に回動した状況を示している。
【００７４】
前述のとおり基端規制部５ｂの形状は、軸部６３ｂを中心とするカム状であり、軸部６３ｂから最も離れた位置にあるカムの頂部５ｄは、後述する規制部材９の規制保持部としての傾斜規制部９２ｂに沿って斜め上方を向いている。このため、図３（ｂ）に示すように第１支持部材５が軸部６３ｂを中心として基準位置よりも上方に回動すると、基端規制部５ｂのカムの頂部５ｄが規制部材９の傾斜規制部９２ｂに近づくにつれて、基端規制部５ｂが規制部材９を押す押圧力が徐々に大きくなる。
【００７５】
このとき、本実施形態のカップホルダ１では、規制部材９が板バネよりなる弾性体であるため、基端規制部５ｂからの押圧力を受けて規制部材９が軸部６３ｂから離れる方向へ弾性変形することで、第１支持部材５の基準位置からのさらなる上方への回動を許容する。規制部材９が弾性変形する際には、第１側壁部４ａの正面に摺動可能に保持されている平板部９ｃが下方に摺動する。
【００７６】
規制部材９の規制保持部としての傾斜規制部９２ｂが、第１支持部材５の基端規制部５ｂから押圧力を受けなくなると、規制部材９が弾性復帰することで、規制部材９の弾性力が基端規制部５ｂのカムの頂部５ｄよりも下方に加わり、この弾性力がカムを回転する回転力として作用するため、上方に回動した第１支持部材５が基準位置に自然に復帰する。
【００７７】
なお、第１支持部材５の基端規制部５ｂの形状はカム状であるため、第１支持部材５が基準位置よりも上方へ回動するほど、規制部材９の弾性変形量が大きくなり、上方に回動した第１支持部材５を基準位置に復帰させようとする規制部材９の弾性力も大きくなる。
【００７８】
（５）カップホルダ１の効果
本実施形態のカップホルダ１の効果は次のとおりである。容器の下部付近に周方向に延びるくびれ部をもつ大径容器がカップホルダ１の収納部２０に挿入され、この大型容器を収納部２０から抜き取る際に、第２支持部材６の第２先端支持部６ａに大径容器のくびれ部が引っ掛かった場合であっても、第１支持部材５の基端規制部５ｂからの押圧力を受けて規制部材９が弾性変形することで、第１支持部材５の基準位置からのさらなる上方への回動を許容する。これにより、第２支持部材６の基準位置からのさらなる上方への回動も許容される。したがって、くびれ部をもつ大径容器の収納部２０からの抜き取りを円滑かつ容易に行うことができる。
【００７９】
また、このとき無理やりに第１支持部材５及び第２支持部材６を上方に回動させるわけではないので、当接部分の磨り減り等による第１支持部材５の基端規制部５ｂや、規制部材９の規制保持部としての傾斜規制部９２ｂの損傷を抑えることができる。
【００８０】
さらに、本実施形態のカップホルダ１は、規制部材９を弾性体とすることにより、第１支持部材５及び第２支持部材６の基準位置からのさらなる上方への回動を許容するという単純な構成であるため、部品の製作や、組付の手間が省力化され、良好な生産効率を確保することが可能となる。
【００８１】
＜第２実施形態＞
本実施形態は、第１実施形態における第１支持部材５の基端規制部５ｂの構造を変更した実施形態である。その他の構成部品は第１実施形態と同一であるため説明を省略する。
【００８２】
図４に本実施形態の組付品２０３の動作を説明する断面図を示す。第１支持部材２０５の基端規制部２０５ｂの形状は、第１実施形態における基端規制部５ｂの形状と同じくカム状であるが、本実施形態における基端規制部２０５ｂは、第１実施形態における基端規制部５ｂのカムの頂部５ｄをさらに延長した延長部２０５ｅを備えている点で異なる。
【００８３】
この延長部２０５ｅは、傾斜規制部９２ｂに沿って斜め上方に延長されている。すなわち、第１支持部材２０５は、軸部６３ｂを折れ点として、第１支持部材２０５の一端側の端部が第１先端支持部２０５ａであり、かつ他端側の端部がカムの頂部２０５ｄであるくの字形状の断面形状を呈している。
【００８４】
第１実施形態を説明する図３（ｂ）において、図３（ｂ）に示す状態からさらに上方へ第１支持部材５が回動すると、基端規制部５ｂのカムの頂部５ｄが傾斜規制部９２ｂから外れるため、第１支持部材５が基準位置に自然復帰できなくなる。
【００８５】
これに対して、本実施形態における基端規制部２０５ｂは、第１実施形態における基端規制部５ｂのカムの頂部５ｄをさらに延長した延長部２０５ｅを備えているため、図４（ｂ）に示すように、第１支持部材２０５が基準位置よりも上方へ大きく回動した場合であっても、基端規制部２０５ｂのカムの頂部２０５ｄが傾斜規制部９２ｂから外れにくい。
【００８６】
したがって、第１支持部材２０５が基準位置よりも上方へ大きく回動した場合であっても、第１支持部材２０５が基準位置に自然復帰できるため、くびれ部をもつ大径容器の収納部２０からの抜き取りをより円滑かつ容易に行うことができる。その他の効果については、第１実施形態と同様である。
【００８７】
なお、第１実施形態において、傾斜規制部９２ｂを斜め下方に延長して、屈曲頂点９１ｂをさらに収納部２０内に突出させることによって、基端規制部５ｂが傾斜規制部９２ｂから外れるのを防ぐ方法も考えられるが、屈曲頂点９１ｂを収納部２０内に大きく突出させることは、第１支持部材５及び第２支持部材６の基準位置から下方への回動を阻害する要因となりうる。
【００８８】
＜第３実施形態＞
本実施形態は、第２実施形態における規制部材９、及び規制部材９を取り付けるケース部材４の構造を変更した実施形態である。その他の構成部品は第２実施形態と同一であるため説明を省略する。
【００８９】
図５に本実施形態の組付品３０３の動作を説明する断面図を示す。規制部材３０９は、規制部材３０９の下端を固定端、かつ上端を自由端とする板バネよりなる。規制部材３０９は、平板部３０９ａと、平板部３０９ａの上端に設けられ平板部３０９ａの一面側に斜め下方に折り曲げられ折り返された折返部３０９ｂとから構成されている。本実施形態のカップホルダの組付品３０３では、この折返部３０９ｂにより規制部材３０９の規制保持部（傾斜規制部）が構成される。
【００９０】
本実施形態のケース部材３０４の基本構成は、第１実施形態のケース部材４と同様であり、本実施形態のケース部材３０４の第１側壁部３０４ａには、規制部材３０９の折返部３０９ｂが第１側壁部３０４ａの正面側に突出するように、規制部材３０９をケース部材３０４に取り付けるための第１取付孔３４１ａと、規制部材３０９の平板部３０９ａをケース部材４に嵌め込んで取り付けるための取付凹部３４２ａとが設けられている。さらに、取付凹部３４２ａには、規制部材３０９の平板部３０９ａを第１側壁部３０４ａと平行に上方から挿入して係止することが可能な挿入孔３４３ａが形成されている。
【００９１】
規制部材３０９は、規制部材３０９の平板部３０９ａの下端のみで固定され、規制部材３０９の上端は自由端となっている。したがって、規制部材３０９の上端側に、規制部材３０９を固定または支持するための構造が不要であり、構成部品の簡素化が図れる。
【００９２】
また、規制部材３０９の上端側に、規制部材３０９を固定または支持するための構造が不要であるため、本実施形態では示していないが、第１支持部材２０５及び第２支持部材６がホルダ本体の最上部に露出する構造からなるカップホルダに適用することが可能である。
【００９３】
このようなカップホルダにおいては、第１支持部材２０５及び第２支持部材６をより高い位置に配置することが可能であるため、収納部に挿入される容器のより上方を第１支持部材２０５及び第２支持部材６で支持することが可能であり、支持される容器の安定性が高くなる。その他の効果については、第１実施形態及び第２実施形態と同様である。
【００９４】
＜第４実施形態＞
本実施形態は、第２実施形態における規制部材９、及び規制部材９を取り付けるケース部材４の構造を変更した実施形態である。その他の構成部品は第２実施形態と同一であるため説明を省略する。
【００９５】
図６に本実施形態の組付品４０３の動作を説明する断面図を示す。規制部材４０９は、規制部材４０９の上端を固定端、かつ下端を自由端とする板バネよりなる。規制部材４０９は、平板部４０９ａと、平板部４０９ａの下端に設けられ平板部４０９ａの一面側に斜め下方に折り曲げられた折曲部４０９ｂとから構成されている。本実施形態のカップホルダの組付品４０３では、この折曲部４０９ｂにより規制部材４０９の規制保持部（傾斜規制部）が構成される。
【００９６】
本実施形態のケース部材４０４の基本構成は、第１実施形態のケース部材４と同様であり、本実施形態のケース部材４０４の第１側壁部４０４ａには、規制部材４０９の折曲部４０９ｂが第１側壁部４０４ａの正面側に突出するように、規制部材４０９をケース部材４０４に取り付けるための第１取付孔４４１ａと、折曲部４０９ｂの先端が収納部２０内に突出するのを防止するための凹部４４２ａとが設けられている。さらに、ケース部材４０４の第１側壁部４０４ａの上方には、規制部材４０９の平板部４０９ａを第１側壁部４０４ａと平行に下方から挿入して係止することが可能な挿入孔４４３ａが形成されている。
【００９７】
規制部材４０９は、規制部材４０９の平板部４０９ａの上端のみで固定され、規制部材４０９の下端は自由端となっている。したがって、規制部材４０９の下端側に、規制部材４０９を固定または支持するための構造が不要であり、構成部品の簡素化が図れる。
【００９８】
また、規制部材４０９の下端側に、規制部材４０９を固定または支持するための構造が不要であるため、本実施形態では示していないが、ホルダ本体の収納部が第１支持部材２０５及び第２支持部材６より下方に内壁面をもたない構造からなるカップホルダに適用することが可能である。
【００９９】
このようなカップホルダにおいては、収納部の深さを小さく抑えることが可能であるため、例えば、常時はカップホルダを車室内から見えないようにセンターコンソール等に収納し、必要に応じてカップホルダを車室内に露出させるような収納式のカップホルダとして具現化することもできる。その他の効果については、第１実施形態及び第２実施形態と同様である。
【０１００】
なお、本発明のカップホルダは上述した第１〜４の実施の形態に限定されるものではなく、本発明の要旨を逸脱しない範囲において、当業者が行い得る変更、改良等を施した種々の形態にて実施することができる。
【０１０１】
例えば、第１〜第４実施形態においては、中径容器を保持するための保持面を備える第１支持部材、及び小径容器を保持するための保持面を備える第２支持部材の２つの支持部材をもつカップホルダの組付品を示したが、１つのみの支持部材をもつ組付品であってもよい。
【０１０２】
また、第１〜第４実施形態においては、様々な構造の板バネよりなる規制部材を示したが、規制部材の構造は、これらの構造に限定されるものではない。規制部材の構造は、常時支持部材を基準位置に保持し、支持部材の基準位置から下方への回動を阻害せず、支持部材の基準位置からのさらなる上方への回動を許容する構造であればよく、より好ましくは、基準位置よりも上方に回動した支持部材を、規制部材の弾性復元により基準位置に復帰することが可能な構造であるとよい。
【０１０３】
また、第１〜第４実施形態においては、ケース部材に対して、第１支持部材、第２支持部材、第１付勢部材、第２付勢部材、規制部材及び保持部材を取り付けて一体化した組付品を、ホルダ本体の収納部に組み付けた実施形態を示したが、ケース部材を用いずに、第１支持部材と、第２支持部材と、第１付勢部材と、第２付勢部材と、規制部材と、保持部材とを、収納部の内壁面に直接組み付けてもよい。
【符号の説明】
【０１０４】
１      …  カップホルダ              ２      …  ホルダ本体
２０    …  収納部                    ２１    …  底面
２２    …  内壁面                    ２３    …  収容凹部
３      …  組付品                    ４      …  ケース部材
５      …  第１支持部材              ５ａ    …  第１先端支持部
５ｂ    …  基端規制部                ５ｃ    …  規制平坦面  
５ｄ    …  頂部                      ６      …  第２支持部材
６ａ    …  第２先端支持部            ６３ｂ  …  軸部
７      …  第１付勢部材              ８      …  第２付勢部材
９      …  規制部材                  ９ａ    …  平板部
９２ｂ  …  傾斜規制部（規制保持部）  １０    …  保持部材
２０３  …  組付品                    ２０５  …  第１支持部材
２０５ａ…  第１先端支持部            ２０５ｂ…  基端規制部
２０５ｃ…  規制平坦面                ２０５ｄ…  頂部
２０５ｅ…  延長部
３０３  …  組付品                    ３０４  …  ケース部材
３０９  …  規制部材                  ３０９ａ…  平板部
３０９ｂ…  折返部（規制保持部）
４０３  …  組付品                    ４０４  …  ケース部材
４０９  …  規制部材                  ４０９ａ…  平板部
４０９ｂ…  折曲部（規制保持部）
【図１】
2010195186.tif 000003
【図２】
2010195186.tif 000004
【図３】
2010195186.tif 000005
【図４】
2010195186.tif 000006
【図５】
2010195186.tif 000007
【図６】
2010195186.tif 000008
【図７】
2010195186.tif 000009
【図８】
2010195186.tif 000010